(57)【要約】【課題】電池の充電又は交換のタイミングを判断可能として、十分な量の生体情報の測定を支援することのできる生体情報測定装置、生体情報測定装置の作動方法、及び、生体情報測定装置の作動プログラムを提供する。【解決手段】生体情報測定装置１は、電池１６を電源として動作し、生体情報を継続的に測定可能である。生体情報測定装置１は、電池１６の容量を検出する電池容量検出部１７と、生体情報の測定中に電池１６の容量が閾値を下回った場合に生体情報の測定を終了する測定制御部１１Ｂと、測定制御部１１Ｂによって生体情報の測定が終了された場合に、生体情報の測定が行われた期間を示す情報を表示部１５に出力する情報出力部１１Ｃと、を備える。【選択図】図２
2018000303.tif 000002
【特許請求の範囲】
【請求項１】
電池を電源として動作し、生体情報を継続的に測定可能な生体情報測定装置であって、
前記電池の容量を検出する電池容量検出部と、
前記生体情報の測定中に前記容量が閾値を下回った場合に前記生体情報の測定を終了する測定制御部と、
前記測定制御部によって前記生体情報の測定が終了された場合に、前記生体情報の測定が行われた期間を示す情報、又は、前記生体情報の測定が終了された時刻を示す情報を出力する情報出力部と、を備える生体情報測定装置。
【請求項２】
請求項１記載の生体情報測定装置であって、
前記情報出力部は、前記測定制御部によって前記生体情報の測定が終了された場合に、前記生体情報の測定が開始された時点での前記電池の容量を示す情報を更に出力する生体情報測定装置。
【請求項３】
請求項１又は２記載の生体情報測定装置であって、
表示部を更に備え、
前記情報出力部は、前記情報を前記表示部に出力して、前記情報を前記表示部に表示させる生体情報測定装置。
【請求項４】
請求項３記載の生体情報測定装置であって、
前記測定制御部によって前記生体情報の測定が終了された場合には休止状態に移行し、
前記表示部は、前記休止状態において操作がなされた場合に前記情報を表示する生体情報測定装置。
【請求項５】
請求項３又は４記載の生体情報測定装置であって、
前記測定制御部によって前記生体情報の測定が終了されかつ前記生体情報測定装置の電源がオフになった後、前記生体情報測定装置の電源がオンされた場合に、前記表示部は前記情報を表示する生体情報測定装置。
【請求項６】
請求項３又は４記載の生体情報測定装置であって、
前記測定制御部によって前記生体情報の測定が終了されかつ前記生体情報測定装置の電源がオフになった後、前記電池の充電が開始された場合に、前記表示部は前記情報を表示する生体情報測定装置。
【請求項７】
電池を電源として動作し、生体情報を継続的に測定可能な生体情報測定装置の作動方法であって、
前記電池の容量を検出する電池容量検出ステップと、
前記生体情報の測定中に前記容量が閾値を下回った場合に前記生体情報の測定を終了する測定制御ステップと、
前記測定制御ステップによって前記生体情報の測定が終了された場合に、前記生体情報の測定が行われた期間を示す情報、又は、前記生体情報の測定が終了された時刻を示す情報を出力する情報出力ステップと、を備える生体情報測定装置の作動方法。
【請求項８】
電池を電源として動作し、生体情報を継続的に測定可能な生体情報測定装置のコンピュータに、
前記生体情報の測定中に前記電池の容量が閾値を下回った場合に前記生体情報の測定を終了する測定制御ステップと、
前記測定制御ステップによって前記生体情報の測定が終了された場合に、前記生体情報の測定が行われた期間を示す情報、又は、前記生体情報の測定が終了された時刻を示す情報を出力する情報出力ステップと、を実行させるための生体情報測定装置の作動プログラム。
【発明の詳細な説明】
【技術分野】
【０００１】
本発明は、生体情報測定装置、生体情報測定装置の作動方法、及び、生体情報測定装置の作動プログラムに関する。
【背景技術】
【０００２】
血圧情報、脈拍情報、又は、心拍情報等の生体の診断に必要な生体情報は、通常、日内変化が大きい。このため、診断等のために、被測定者から生体情報を継続的に測定し記録することが行われる。
【０００３】
生体情報を継続的に測定する装置としては、１拍（心臓が１回拍動する期間）毎に脈波を検出し、検出した脈波に基づいて１拍単位での生体情報を算出して記憶するものが知られている（特許文献１−３参照）。
【先行技術文献】
【特許文献】
【０００４】
【特許文献１】特開平０２−２６１４２１号公報
【特許文献２】特開平０７−１２４１３０号公報
【特許文献３】特開平０１−２４２０３１号公報
【発明の概要】
【発明が解決しようとする課題】
【０００５】
上記のように継続的に生体情報を測定する生体情報測定装置は、被測定者の体に長時間装着されて使用される。このため、生体情報測定装置が電池によって駆動される電池駆動型のものである場合には、生体情報の測定を行うことのできる時間が測定開始時の電池容量によって決まることになる。
【０００６】
例えば、被測定者が、電池駆動型の生体情報測定装置を就寝の直前に装着し、就寝中の生体情報の変化をモニタする場合を想定する。この場合には、生体情報の測定開始時の電池容量が十分でないと、被測定者が起床するより遥か前の時点で生体情報の測定が不能になる可能性があり、十分な量の生体情報を測定することができない。
【０００７】
生体情報測定装置の電池が常に満充電されていればよいが、電池を常に満充電にしておくのでは使い勝手が悪い。特許文献１−３は、装置を電池駆動する際のこのような課題については考慮していない。
【０００８】
本発明は、上記事情に鑑みてなされたものであり、電池の充電又は交換のタイミング等を判断可能として、十分な量の生体情報の測定を支援することのできる生体情報測定装置、生体情報測定装置の作動方法、及び、生体情報測定装置の作動プログラムを提供することを目的とする。
【課題を解決するための手段】
【０００９】
本発明の生体情報測定装置は、電池を電源として動作し、生体情報を継続的に測定可能な生体情報測定装置であって、前記電池の容量を検出する電池容量検出部と、前記生体情報の測定中に前記容量が閾値を下回った場合に前記生体情報の測定を終了する測定制御部と、前記測定制御部によって前記生体情報の測定が終了された場合に、前記生体情報の測定が行われた期間を示す情報、又は、前記生体情報の測定が終了された時刻を示す情報を出力する情報出力部と、を備えるものである。
【００１０】
本発明の生体情報測定装置の作動方法は、電池を電源として動作し、生体情報を継続的に測定可能な生体情報測定装置の作動方法であって、前記電池の容量を検出する電池容量検出ステップと、前記生体情報の測定中に前記容量が閾値を下回った場合に前記生体情報の測定を終了する測定制御ステップと、前記測定制御ステップによって前記生体情報の測定が終了された場合に、前記生体情報の測定が行われた期間を示す情報、又は、前記生体情報の測定が終了された時刻を示す情報を出力する情報出力ステップと、を備えるものである。
【００１１】
本発明の生体情報測定装置の作動プログラムは、電池を電源として動作し、生体情報を継続的に測定可能な生体情報測定装置のコンピュータに、前記生体情報の測定中に前記電池の容量が閾値を下回った場合に前記生体情報の測定を終了する測定制御ステップと、前記測定制御ステップによって前記生体情報の測定が終了された場合に、前記生体情報の測定が行われた期間を示す情報、又は、前記生体情報の測定が終了された時刻を示す情報を出力する情報出力ステップと、を実行させるためのものである。
【発明の効果】
【００１２】
本発明によれば、電池の充電又は交換のタイミング等を判断可能として、十分な量の生体情報の測定を支援することのできる生体情報測定装置、生体情報測定装置の作動方法、及び、生体情報測定装置の作動プログラムを提供することができる。
【図面の簡単な説明】
【００１３】
【図１】本発明の一実施形態を説明するための生体情報測定装置１の内部ハードウェア構成を示す図である。
【図２】図１に示す生体情報測定装置１のシステム制御部１１の機能ブロック図である。
【図３】図１に示す生体情報測定装置１の動作を説明するためのフローチャートである。
【図４】図１に示す生体情報測定装置１の表示部１５に表示される画面の一例を示す図である。
【図５】図１に示す生体情報測定装置１の表示部１５に表示される画面の変形例を示す図である。
【発明を実施するための形態】
【００１４】
以下、本発明の実施形態について図面を参照して説明する。
【００１５】
図１は、本発明の一実施形態を説明するための生体情報測定装置１の内部ハードウェア構成を示す図である。この生体情報測定装置１は、例えば被測定者の就寝時における生体情報をモニタリングするために使用される。
【００１６】
生体情報測定装置１は、血圧情報、脈拍情報、血管特性情報、又は、心拍情報等の生体情報を測定して記憶媒体１３に記憶するものである。血圧情報は、例えば収縮期血圧、拡張期血圧、又は、平均血圧等を含む。脈拍情報は例えば脈拍数等を含む。心拍情報は例えば心拍数等を含む。血管特性情報は、ＡＩ（Ａｕｇｍｅｎｔａｔｉｏｎ  Ｉｎｄｅｘ）又はＰＴＴ（脈波伝播速度）等を含む。
【００１７】
生体情報測定装置１は、脈波検出部１０と、全体を統括制御するシステム制御部１１と、通信インタフェース（Ｉ／Ｆ）１２と、記憶媒体１３と、操作部１４と、表示部１５と、電池１６と、電池容量検出部１７と、を備える。
【００１８】
脈波検出部１０は、被測定者の生体部位（例えば手首等）から１拍毎に発生する脈波を検出し、検出した脈波をシステム制御部１１に入力する。脈波検出部１０は、例えばトノメトリ方式によって脈波としての圧脈波を検出するもの等が用いられる。脈波検出部１０は、脈波として容積脈波を検出するものであってもよい。脈波検出部１０は、動脈に光を当てて得られる動脈からの反射光によって脈波を検出するものであってもよい。
【００１９】
脈波検出部１０がトノメトリ方式によって脈波を検出するものである場合、脈波検出部１０は、圧力センサと、この圧力センサを体表面に対して押圧する空気袋等の押圧部と、を有する。そして、脈波検出部１０は、押圧部によって所定押圧力で圧力センサを体表面に押圧している状態で圧力センサにより検出される信号に基づいて脈波を検出する。
【００２０】
システム制御部１１は、プロセッサを主体に構成されており、プロセッサの実行するプログラム等が記憶されるＲＯＭ（Ｒｅａｄ  Ｏｎｌｙ  Ｍｅｍｏｒｙ）、及び、ワークメモリとしてのＲＡＭ（Ｒａｎｄｏｍ  Ａｃｃｅｓｓ  Ｍｅｍｏｒｙ）等を含む。ＲＯＭは、プログラムをコンピュータが読取可能な一時的でない（ｎｏｎ−ｔｒａｎｓｉｔｏｒｙ）記憶媒体を構成する。
【００２１】
通信Ｉ／Ｆ１２は、他の電子機器（例えば生体情報測定装置１を装着する被測定者の所持するスマートフォン）と有線又は無線等で接続するためのインタフェースである。
【００２２】
記憶媒体１３は、システム制御部１１によって算出された生体情報等の各種データを記憶する。記憶媒体１３は、例えばフラッシュメモリ又はハードディスク等により構成される。記憶媒体１３は、生体情報測定装置１に着脱可能な可搬型のものであってもよい。
【００２３】
操作部１４は、システム制御部１１に対する指示信号を入力するためのインタフェースであり、生体情報の測定を含む各種動作の開始又は終了等を指示するためのボタン又はタッチパネル等により構成される。
【００２４】
表示部１５は、測定された生体情報等の各種情報を表示するためのものであり、例えば液晶表示装置又は電子ペーパ等により構成される。
【００２５】
電池１６は、生体情報測定装置１の電源を構成する。生体情報測定装置１の各ハードウェアは、電池１６から供給される電力によって動作する。
【００２６】
電池１６としては、電子機器の電源として使用できるものであればどのようなものを使用しても良く、例えば、アルカリ乾電池等の一次電池、メタノール燃料等を利用した燃料電池、又は、リチウムイオン電池等の充電式の二次電池等が用いられる。
【００２７】
電池容量検出部１７は、電池１６の容量を検出し、検出した容量の情報をシステム制御部１１に通知する。
【００２８】
図２は、図１に示す生体情報測定装置１のシステム制御部１１の機能ブロック図である。
【００２９】
システム制御部１１は、生体情報算出部１１Ａと、測定制御部１１Ｂと、情報出力部１１Ｃと、を備える。
【００３０】
生体情報算出部１１Ａ、測定制御部１１Ｂ、及び、情報出力部１１Ｃは、ＲＯＭに記憶されるプログラムをプロセッサ（コンピュータ）が実行することによって構成される。
【００３１】
このプログラムは、生体情報測定装置の作動プログラムを含む。この作動プログラムは、生体情報測定装置１の製造段階でＲＯＭに記憶されるが、利用者がメモリカード等の可搬型記憶媒体を介してＲＯＭに記憶したり、利用者がネットワークを介したダウンロードによってＲＯＭに記憶したりすることもできる。
【００３２】
生体情報算出部１１Ａは、脈波検出部１０から入力された脈波に基づいて例えば周知の方法により生体情報を算出する。生体情報算出部１１Ａは、生体情報の算出対象とする脈波を、１拍毎に検出される脈波としているが、１拍おき又は複数拍おきに検出される脈波を生体情報の算出対象としてもよい。
【００３３】
生体情報算出部１１Ａは、算出した生体情報を記憶媒体１３に記憶する。これにより、記憶媒体１３には、１拍単位での生体情報が記憶されていく。
【００３４】
測定制御部１１Ｂは、電池容量検出部１７から通知される電池１６の容量が閾値を下回った場合に、脈波検出部１０を停止させて、生体情報の算出（測定）を終了する。
【００３５】
この閾値は、例えば、脈波検出部１０の動作及び生体情報の算出のために最低限必要な値に、生体情報測定装置１が休止状態を維持できる程度の値を加えた値が設定される。
【００３６】
休止状態とは、生体情報の測定は不能であるが、システム制御部１１によって操作部１４の操作を検出可能であり、かつ、表示部１５による画面の表示が可能な状態を言う。
【００３７】
情報出力部１１Ｃは、測定制御部１１Ｂによって生体情報の測定が終了された場合に、生体情報の測定が行われた期間を示す測定期間情報を表示部１５に出力する。
【００３８】
図３は、図１に示す生体情報測定装置１の動作を説明するためのフローチャートである。
【００３９】
操作部１４が操作されて生体情報の測定開始を指示する指示信号がシステム制御部１１に入力されると、情報出力部１１Ｃは、この指示信号を受け付けた時刻を測定開始時刻として記憶媒体１３に記憶し（ステップＳ１）、脈波検出部１０を起動して脈波の検出を開始させる。
【００４０】
脈波検出部１０により脈波が検出されると（ステップＳ２）、生体情報算出部１１Ａが、この脈波に基づいて生体情報を算出し、算出した生体情報を記憶媒体１３に記憶する（ステップＳ３）。
【００４１】
ステップＳ３の後、測定制御部１１Ｂは、電池１６の容量が閾値を下回ったか否かを判定する（ステップＳ４）。
【００４２】
電池１６の容量が閾値以上である場合（ステップＳ４：ＮＯ）にはステップＳ２に処理が戻って生体情報の測定が継続される。
【００４３】
なお、測定開始指示に応じて開始された生体情報の測定期間中は、操作部１４が操作されない状態が所定時間継続した場合に、システム制御部１１が表示部１５の画面表示をオフにして消費電力を低減する。
【００４４】
電池１６の容量が閾値を下回った場合（ステップＳ４：ＹＥＳ）には、測定制御部１１Ｂは、脈波検出部１０を停止し、生体情報の測定を終了する（ステップＳ５）。
【００４５】
その後、情報出力部１１Ｃは、現時点の時刻を生体情報の測定終了時刻として記憶媒体１３に記憶する（ステップＳ６）。
【００４６】
そして、情報出力部１１Ｃは、記憶媒体１３に記憶した測定開始時刻を示す情報と、記憶媒体１３に記憶した測定終了時刻を示す情報とに基づいて、生体情報の測定が行われた期間を示す測定期間情報を生成し、この測定期間情報を表示部１５に出力する（ステップＳ７）。表示部１５に出力された測定期間情報は、表示部１５の内蔵メモリに記憶される。
【００４７】
具体的には、情報出力部１１Ｃは、測定開始時刻から測定終了時刻までの時間を表示するための時間情報を測定期間情報として生成する。または、情報出力部１１Ｃは、測定開始時刻と測定終了時刻を表示するための開始終了時刻情報を測定期間情報として生成する。
【００４８】
ステップＳ７の後、システム制御部１１は、生体情報測定装置１を休止状態に移行させる（ステップＳ８）。
【００４９】
休止状態において操作部１４が操作されると（ステップＳ９：ＹＥＳ）、システム制御部１１はこの操作を検出し、表示部１５の画面表示をオンにする。これにより、表示部１５には、内蔵メモリに記憶された測定期間情報と、予め内蔵メモリに記憶されていた電池１６の容量を示すアイコンとが表示される（ステップＳ１０）。
【００５０】
なお、システム制御部１１は、ステップＳ７において測定期間情報を生成した後にステップＳ８の処理を行い、その後、ステップＳ９の判定がＹＥＳになった時点で、生成した測定期間情報を表示部１５に出力して、表示部１５に測定期間情報を表示させるようにしてもよい。
【００５１】
図４は、図１に示す生体情報測定装置１の表示部１５に表示される画面例を示す図である。
【００５２】
図４（ａ）に示す画面には、電池１６の容量が生体情報を測定不能な程度に少ないことを示すアイコン４０と測定期間情報に基づく画像４１とが含まれている。画像４１は、測定開始時刻と測定終了時刻の間の時間が６時間（６ｈ）であることが文字で示された画像となっている。
【００５３】
図４（ｂ）に示す画面には、アイコン４０と測定期間情報に基づく画像４２とが含まれている。画像４２は、測定開始時刻が２３時３０分であり、電池１６の容量が閾値を下回って生体情報の測定が不能になった時刻が５時３０分であることが文字で示された画像となっている。
【００５４】
以上のように、生体情報測定装置１によれば、電池１６の容量が閾値を下回って生体情報の測定ができなくなった場合には、測定期間情報が生成されて、この測定期間情報が表示部１５によって確認可能な状態となる。
【００５５】
例えば、被測定者が就寝中に生体情報測定装置１の利用を行う場合を想定する。この場合、電池１６の容量不足で生体情報の測定が途中で終了してしまっても、被測定者は、起床後に、表示部１５に表示される図４に示す画面を見ることで、どのくらいの期間、生体情報の測定が行われていたのかを知ることができる。
【００５６】
被測定者は、生体情報の測定開始時、表示部１５に表示されるアイコンによって電池１６の容量を知ることが可能である。被測定者は、この容量を覚えておき、起床後に図４に示す画面を見ることにより、電池の容量と自身の就寝時間又は起床時間をどのように調整すれば就寝中に測定不能とならないのかを知ることができる。
【００５７】
このように、生体情報測定装置１によれば、生体情報の測定が必要な期間（例えば就寝中）に生体情報の測定が不能となるのを防ぐための行動の気付きを被測定者に与えることができる。
【００５８】
以上の説明では、情報出力部１０Ｃが、ステップＳ７において測定期間情報を生成して表示部１５に出力するものとした。この変形例として、情報出力部１０Ｃは、測定制御部１１Ｂによって生体情報の測定が終了された場合に、生体情報の測定が終了された時刻を示す情報を表示部１５に出力してもよい。
【００５９】
つまり、情報出力部１０Ｃは、図３のステップＳ７において、記憶媒体１３に記憶されている測定終了時刻を示す情報を表示部１５に出力する構成としてもよい。この構成では、ステップＳ１の処理は必須ではない。
【００６０】
この構成では、ステップＳ１０において表示部１５に表示される画面は例えば図５（ａ）に示すものとなる。図５（ａ）に示す画面には、アイコン４０と、測定終了時刻を示す情報に基づく画像４３とが含まれている。画像４３は、測定不能となった時刻（測定終了時刻）が５：３０であることが文字で示された画像となっている。
【００６１】
このように、電池１６の容量が閾値を下回った場合に測定終了時刻が表示可能となる構成であっても、測定開始時の電池１６の容量及び測定開始時刻を被測定者が覚えておくことで、電池の容量と就寝時間又は起床時間をどのように調整すればよいのかを知ることができる。
【００６２】
情報出力部１０Ｃは、生体情報の測定開始指示を受けた時点での電池１６の容量（以下、測定開始時容量という）を記憶媒体１３に記憶しておき、測定制御部１１Ｂによって生体情報の測定が終了された場合に、この測定開始時容量を示す情報を表示部１５に更に出力する構成としてもよい。
【００６３】
つまり、図３のステップＳ１において、情報出力部１０Ｃは、測定開始時刻に加えて測定開始時容量を記憶媒体１３に記憶し、図３のステップＳ７において、測定期間情報に加えて測定開始時容量を示す情報を表示部１５に出力する。
【００６４】
この構成では、ステップＳ１０において表示部１５に表示される画面は例えば図５（ｂ）、図５（ｃ）、又は、図５（ｄ）に示すものとなる。
【００６５】
図５（ｂ）に示す画面には、アイコン４０と、測定終了時刻及び測定開始時容量を文字で示す画像４３Ａとが含まれている。
【００６６】
図５（ｃ）に示す画面には、アイコン４０と、測定時間及び測定開始時容量を文字で示す画像４１Ａとが含まれている。
【００６７】
図５（ｄ）に示す画面には、アイコン４０と、測定開始時刻、測定終了時刻、及び、測定開始時容量を文字で示す画像４２Ａとが含まれている。
【００６８】
このように、測定開始時容量が表示部１５において確認可能となることで、被測定者が測定開始時の電池１６の容量を覚えていなくても、必要な行動をとることができるようになり、利便性が向上する。
【００６９】
なお、システム制御部１１は、休止状態に移行後、電池１６の容量が更に低下して休止状態を維持できる容量の最小値を下回った場合には生体情報測定装置１の電源をオフにする。その後、電池１６が充電される等した後に生体情報測定装置１の電源がオンされると、システム制御部１１は、表示部１５の画面表示をオンにして、測定期間情報、又は、測定期間情報と測定開始時容量の両方を表示部１５に表示させてもよい。
【００７０】
この構成によれば、電池１６の容量が、生体情報測定装置１の電源がオフになる程度に低下した場合でも、生体情報測定装置１の起動のタイミングで測定期間情報等をすぐに確認可能となり、利便性が向上する。
【００７１】
また、システム制御部１１は、上記のように生体情報測定装置１の電源をオフにした後、生体情報測定装置１の電池１６の充電が開始された場合に、表示部１５の画面表示をオンにして、測定期間情報、又は、測定期間情報と測定開始時容量の両方を表示部１５に表示させてもよい。この構成によれば、充電開始のタイミングで測定期間情報等を確認可能となり、利便性が向上する。
【００７２】
システム制御部１１は、測定開始時刻、測定終了時刻、及び、測定開始時容量の組のデータが複数日分、記憶媒体１３に記憶された場合には、生体情報の測定開始指示がなされた時点で、この複数日分のデータと、この時点の時刻とに基づいて、生体情報の測定が不能となる時刻を予測演算し、この時刻を起床推奨時刻として表示部１５に表示させてもよい。
【００７３】
これにより、被測定者は、特に考えることなく、電池１６を充電する、起床時間を起床推奨時刻に設定する等の行動をとることができる。
【００７４】
以上の説明では、図４又は図５に示す画面が生体情報測定装置１の表示部１５に表示可能となるものとしたが、これらの画面は、生体情報測定装置１と通信可能な電子機器の表示部において表示可能としてもよい。
【００７５】
例えば、情報出力部１０Ｃは、測定制御部１１Ｂによって生体情報の測定が終了された場合に、測定期間情報、又は、測定終了時刻を示す情報を通信Ｉ／Ｆ１２から被測定者の所持するスマートフォンに送信（出力）して、生体情報測定装置１の電源をオフにする。
【００７６】
このスマートフォンは、インストールされているアプリケーションプログラムの機能によって生体情報測定装置１と通信可能な状態に設定される。また、スマートフォンは、この機能によって、生体情報測定装置１から受信した測定期間情報、又は、測定終了時刻を示す情報を表示するための画面を生成し、利用者からの要求があったときに、この画面を表示部に表示させる。
【００７７】
これにより、スマートフォンの表示部において、図４又は図５に示した画面が確認可能となり、被測定者は必要な行動をとることができる。
【００７８】
この構成によれば、操作部１４の操作を検出するための電力及び表示部１５を動作させるための電力を、生体情報の測定のために利用することができるため、生体情報の測定可能時間を延ばすことが可能となる。
【００７９】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００８０】
例えば、図４又は図５に示した文字を音声によって読み上げて被測定者に通知する構成としてもよい。つまり、情報出力部１０Ｃは、スピーカ等の音出力部に対して測定期間情報、測定開始時容量を示す情報等を出力する構成であってもよい。
【００８１】
以上説明してきたように、本明細書には以下の事項が開示されている。
【００８２】
（１）  電池を電源として動作し、生体情報を継続的に測定可能な生体情報測定装置であって、前記電池の容量を検出する電池容量検出部と、前記生体情報の測定中に前記容量が閾値を下回った場合に前記生体情報の測定を終了する測定制御部と、前記測定制御部によって前記生体情報の測定が終了された場合に、前記生体情報の測定が行われた期間を示す情報、又は、前記生体情報の測定が終了された時刻を示す情報を出力する情報出力部と、を備える生体情報測定装置。
【００８３】
（２）  （１）記載の生体情報測定装置であって、前記情報出力部は、前記測定制御部によって前記生体情報の測定が終了された場合に、前記生体情報の測定が開始された時点での前記電池の容量を示す情報を更に出力する生体情報測定装置。
【００８４】
（３）  （１）又は（２）記載の生体情報測定装置であって、表示部を更に備え、前記情報出力部は、前記情報を前記表示部に出力して、前記情報を前記表示部に表示させる生体情報測定装置。
【００８５】
（４）  （３）記載の生体情報測定装置であって、前記測定制御部によって前記生体情報の測定が終了された場合には休止状態に移行し、前記表示部は、前記休止状態において操作がなされた場合に前記情報を表示する生体情報測定装置。
【００８６】
（５）  （３）又は（４）記載の生体情報測定装置であって、前記測定制御部によって前記生体情報の測定が終了されかつ前記生体情報測定装置の電源がオフになった後、前記生体情報測定装置の電源がオンされた場合に、前記表示部は前記情報を表示する生体情報測定装置。
【００８７】
（６）  （３）又は（４）記載の生体情報測定装置であって、前記測定制御部によって前記生体情報の測定が終了されかつ前記生体情報測定装置の電源がオフになった後、前記電池の充電が開始された場合に、前記表示部は前記情報を表示する生体情報測定装置。
【００８８】
（７）  電池を電源として動作し、生体情報を継続的に測定可能な生体情報測定装置の作動方法であって、前記電池の容量を検出する電池容量検出ステップと、前記生体情報の測定中に前記容量が閾値を下回った場合に前記生体情報の測定を終了する測定制御ステップと、前記測定制御ステップによって前記生体情報の測定が終了された場合に、前記生体情報の測定が行われた期間を示す情報、又は、前記生体情報の測定が終了された時刻を示す情報を出力する情報出力ステップと、を備える生体情報測定装置の作動方法。
【００８９】
（８）  電池を電源として動作し、生体情報を継続的に測定可能な生体情報測定装置のコンピュータに、前記生体情報の測定中に前記電池の容量が閾値を下回った場合に前記生体情報の測定を終了する測定制御ステップと、前記測定制御ステップによって前記生体情報の測定が終了された場合に、前記生体情報の測定が行われた期間を示す情報、又は、前記生体情報の測定が終了された時刻を示す情報を出力する情報出力ステップと、を実行させるための生体情報測定装置の作動プログラム。
【産業上の利用可能性】
【００９０】
本発明は、携帯型の血圧計等に適用して利便性が高く、有効である。
【符号の説明】
【００９１】
１  生体情報測定装置
１０  脈波検出部
１１  システム制御部
１２  通信Ｉ／Ｆ
１３  記憶媒体
１４  操作部
１５  表示部
１６  電池
１７  電池容量検出部
１１Ａ  生体情報算出部
１１Ｂ  測定制御部
１１Ｃ  情報出力部
４０  アイコン
４１、４２、４３、４１Ａ、４２Ａ、４３Ａ  画像
【図１】
2018000303.tif 000003
【図２】
2018000303.tif 000004
【図３】
2018000303.tif 000005
【図４】
2018000303.tif 000006
【図５】
2018000303.tif 000007